【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
異なる種類のジョブを実行可能な画像処理装置であって、
複数のユーザの情報が登録されているユーザ情報登録手段と、
ユーザ情報を入力するための入力方式の異なる複数のユーザ情報入力手段と、
前記各ユーザ情報入力手段により入力されたユーザ情報が、前記ユーザ情報登録手段に登録されているユーザ情報と一致しているかどうかを判断するユーザ情報照合手段と、
前記ユーザ情報照合手段により一致すると判断されたユーザ情報に係るユーザによって指示されたジョブを実行するジョブ処理手段と、
前記ユーザ情報入力手段の入力方式の種類に基づいて、前記ジョブの種類毎に前記ジョブ処理手段によるジョブの実行を禁止しまたは前記ジョブの実行回数を制限するジョブ処理制御手段と、
を備えたことを特徴とする画像処理装置。
【請求項２】
前記複数のユーザ情報入力手段は、第１の入力方式のユーザ情報入力手段と、前記第１の入力方式と異なる第２の入力方式のユーザ情報入力手段を含み、
前記ジョブ処理制御手段は、前記第１の入力方式のユーザ情報入力手段によりユーザ情報が入力された場合は第１の種類のジョブの実行を禁止しまたは前記ジョブの実行回数を制限し、前記第２の入力方式のユーザ情報入力手段によりユーザ情報が入力された場合は前記第１の種類のジョブの実行を禁止しない、または前記ジョブの実行回数を制限しない請求項１に記載の画像処理装置。
【請求項３】
前記第１の入力方式のユーザ情報入力手段は、各ユーザに割り当てられ、無線通信可能範囲内に進入すると無線通信が可能となる無線端末から送信されたユーザ情報を受信する無線通信手段、またはユーザ操作によってユーザ情報が入力される操作手段であり、
前記第２の入力方式のユーザ情報入力手段は、ユーザに固有の生体情報を検出する検出手段、または各ユーザに対応付けられ対応ユーザのユーザ情報を格納したユーザ情報格納デバイスを接続されることにより、前記ユーザ情報格納デバイスに格納されたユーザ情報を受信する接続手段である請求項２に記載の画像処理装置。
【請求項４】
前記異なる複数種のジョブは、コピージョブ、スキャンジョブ、ＰＣプリントジョブ、ファクシミリ送信ジョブ、ファクシミリ受信ジョブのうちの少なくとも２つのジョブを含む請求項１ないし３のいずれかに記載の画像処理装置。
【請求項５】
前記複数のユーザ情報入力手段は、各ユーザに割り当てられ、無線通信可能範囲内に進入すると無線通信が可能となる無線端末から送信されたユーザ情報を受信する無線通信手段を含む請求項１に記載の画像処理装置。
【請求項６】
前記複数のユーザ情報入力手段は、ユーザ操作によってユーザ情報が入力される操作手段を含む請求項１に記載の画像処理装置。
【請求項７】
前記複数のユーザ情報入力手段はユーザに固有の生体情報を検出する検出手段を含み、前記検出手段によって前記生体情報を検出した場合は、前記ジョブ処理制御手段は前記ジョブの実行を禁止しないようにまたは前記ジョブの実行回数を制限しないように制御する請求項１に記載の画像処理装置。
【請求項８】
前記複数のユーザ情報入力手段が、各ユーザに対応付けられ、対応ユーザのユーザ情報を格納したユーザ情報格納デバイスを接続されることにより、前記ユーザ情報格納デバイスに格納されたユーザ情報を受信する接続手段を含み、前記接続手段から前記ユーザ情報を受信した場合は、前記ジョブ処理制御手段は前記ジョブの実行を禁止しないようにまたは前記ジョブの実行回数を制限しないように制御する請求項１に記載の画像処理装置。
【請求項９】
前記ジョブ処理制御手段により実行が禁止されまたは実行回数が制限されるジョブは、用紙への画像印字を伴うジョブである請求項１ないし３のいずれかに記載の画像処理装置。
【請求項１０】
前記ジョブ処理制御手段により実行が禁止されまたは実行回数が制限されるジョブは、外部機器への送信を伴うジョブである請求項１ないし３のいずれかに記載の画像処理装置。
【請求項１１】
前記ジョブ処理制御手段により実行が禁止されまたは実行回数が制限される規制されるジョブは、ファクシミリ送信ジョブである請求項１ないし３のいずれかに記載の画像処理装置。
【請求項１２】
前記ジョブ処理制御手段により実行が禁止されまたは実行回数が制限されるジョブは、カラー画像を出力するジョブである請求項１ないし３のいずれかに記載の画像処理装置。
【請求項１３】
さらに前記ユーザ情報入力手段の入力方式毎に入力安全性設定情報の高低を設定する第１の設定手段を有し、
前記ジョブ処理制御手段は、前記ユーザ情報入力手段による前記ユーザ情報の入力に対して、前記第１の設定手段で設定された入力安全性設定情報に基づいて、前記ジョブの種類毎に前記ジョブ処理手段による前記ジョブの実行を禁止しまたは前記ジョブの実行回数を制限する請求項１ないし３のいずれかに記載の画像処理装置。
【請求項１４】
さらに前記ジョブの種類毎のセキュリティレベル情報の高低を設定する第２の設定手段を有し、
前記ジョブ処理制御手段は、前記ユーザ情報入力手段による前記ユーザ情報の入力に対して、前記第１の設定手段で設定された入力安全性設定情報と前記第２の設定手段で設定されたセキュリティレベル情報に基づいて、前記ジョブの種類毎に前記ジョブ処理手段による前記ジョブの実行を禁止しまたは前記ジョブの実行回数を制限する請求項１ないし３のいずれかに記載の画像処理装置。
【請求項１５】
複数種のジョブを実行可能な画像処理装置におけるジョブの実行方法であって、
互いに入力方式の異なる複数のユーザ情報入力手段のうち１つのユーザ情報入力手段から入力されたユーザ情報を受け付ける第１のステップと、
前記受け付けたユーザ情報が、ユーザ情報登録手段に登録されているユーザ情報と一致しているか否かを照合する第２のステップと、
照合ステップにおいて一致すると判断された場合に、前記複数のユーザ情報入力手段のうち、いずれのユーザ情報入力手段を用いてユーザ情報が入力されたかに応じて、前記ジョブの種類毎に前記ジョブの実行を禁止しまたは前記ジョブの実行回数を制限する第３のステップと、
を前記画像処理装置により実行することを特徴とするジョブ実行方法。
【請求項１６】
前記複数のユーザ情報入力手段は、第１の入力方式のユーザ情報入力手段と、前記第１の入力方式と異なる第２の入力方式のユーザ情報入力手段を含み、
前記第３のステップは、前記第１の入力方式のユーザ情報入力手段によりユーザ情報が入力された場合は第１の種類のジョブの実行を禁止しまたは前記ジョブの実行回数を制限し、前記第２の入力方式のユーザ情報入力手段によりユーザ情報が入力された場合は前記第１の種類のジョブの実行を禁止しない、または前記ジョブの実行回数を制限しない請求項１５記載のジョブ実行方法。
【請求項１７】
前記第１の入力方式のユーザ情報入力手段は、各ユーザに割り当てられ、無線通信可能範囲内に進入すると無線通信が可能となる無線端末から送信されたユーザ情報を受信する無線通信手段、またはユーザ操作によってユーザ情報が入力される操作手段であり、
前記第２の入力方式のユーザ情報入力手段は、ユーザに固有の生体情報を検出する検出手段、または各ユーザに対応付けられ対応ユーザのユーザ情報を格納したユーザ情報格納デバイスを接続されることにより、前記ユーザ情報格納デバイスに格納されたユーザ情報を受信する接続手段である請求項１６に記載のジョブ実行方法。
【請求項１８】
前記複数種のジョブは、コピージョブ、スキャンジョブ、ＰＣプリントジョブ、ファクシミリ送信ジョブ、ファクシミリ受信ジョブのうちの少なくとも２つのジョブを含む請求項１５いし１７のいずれかに記載のジョブ実行方法。
【請求項１９】
前記ユーザ情報入力手段が、各ユーザに割り当てられ、無線通信可能範囲内に進入すると無線通信が可能となる無線端末から送信されたユーザ情報を受信する受信手段からなるものである場合は、実行を禁止されるジョブが設定される請求項１５に記載のジョブ実行方法。
【請求項２０】
前記ユーザ情報入力手段が、ユーザ操作によってユーザ情報が入力される操作手段からなるものである場合には、実行を禁止されるジョブが設定される請求項１５に記載のジョブ実行方法。
【請求項２１】
前記ユーザ情報入力手段がユーザに固有の生体情報を検出する検出手段を備えたものである場合は、実行を許可されるジョブが設定される請求項１５に記載のジョブ実行方法。
【請求項２２】
前記ユーザ情報入力手段が、各ユーザに対応付けられ、対応ユーザのユーザ情報を格納したユーザ情報格納デバイスを接続されることにより、前記ユーザ情報格納デバイスに格納されたユーザ情報を受信する受信手段である場合は、実行を許可されるジョブが設定される請求項１５に記載のジョブ実行方法。
【手続補正２】
【補正対象書類名】明細書
【補正対象項目名】０００９
【補正方法】変更
【補正の内容】
【０００９】
上記課題は以下の手段によって解決される。
（１）異なる種類のジョブを実行可能な画像処理装置であって、複数のユーザの情報が登録されているユーザ情報登録手段と、ユーザ情報を入力するための入力方式の異なる複数のユーザ情報入力手段と、前記各ユーザ情報入力手段により入力されたユーザ情報が、前記ユーザ情報登録手段に登録されているユーザ情報と一致しているかどうかを判断するユーザ情報照合手段と、前記ユーザ情報照合手段により一致すると判断されたユーザ情報に係るユーザによって指示されたジョブを実行するジョブ処理手段と、前記ユーザ情報入力手段の入力方式の種類に基づいて、前記ジョブの種類毎に前記ジョブ処理手段によるジョブの実行を禁止しまたは前記ジョブの実行回数を制限するジョブ処理制御手段と、を備えたことを特徴とする画像処理装置。
（２）前記複数のユーザ情報入力手段は、第１の入力方式のユーザ情報入力手段と、前記第１の入力方式と異なる第２の入力方式のユーザ情報入力手段を含み、前記ジョブ処理制御手段は、前記第１の入力方式のユーザ情報入力手段によりユーザ情報が入力された場合は第１の種類のジョブの実行を禁止しまたは前記ジョブの実行回数を制限し、前記第２の入力方式のユーザ情報入力手段によりユーザ情報が入力された場合は前記第１の種類のジョブの実行を禁止しない、または前記ジョブの実行回数を制限しない前項１に記載の画像処理装置。
（３）前記第１の入力方式のユーザ情報入力手段は、各ユーザに割り当てられ、無線通信可能範囲内に進入すると無線通信が可能となる無線端末から送信されたユーザ情報を受信する無線通信手段、またはユーザ操作によってユーザ情報が入力される操作手段であり、前記第２の入力方式のユーザ情報入力手段は、ユーザに固有の生体情報を検出する検出手段、または各ユーザに対応付けられ対応ユーザのユーザ情報を格納したユーザ情報格納デバイスを接続されることにより、前記ユーザ情報格納デバイスに格納されたユーザ情報を受信する接続手段である前項２に記載の画像処理装置。
（４）前記異なる複数種のジョブは、コピージョブ、スキャンジョブ、ＰＣプリントジョブ、ファクシミリ送信ジョブ、ファクシミリ受信ジョブのうちの少なくとも２つのジョブを含む前項１ないし３のいずれかに記載の画像処理装置。
（５）前記複数のユーザ情報入力手段は、各ユーザに割り当てられ、無線通信可能範囲内に進入すると無線通信が可能となる無線端末から送信されたユーザ情報を受信する無線通信手段を含む前項１に記載の画像処理装置。
（６）前記複数のユーザ情報入力手段は、ユーザ操作によってユーザ情報が入力される操作手段を含む前項１に記載の画像処理装置。
（７）前記複数のユーザ情報入力手段はユーザに固有の生体情報を検出する検出手段を含み、前記検出手段によって前記生体情報を検出した場合は、前記ジョブ処理制御手段は前記ジョブの実行を禁止しないようにまたは前記ジョブの実行回数を制限しないように制御する前項１に記載の画像処理装置。
（８）前記複数のユーザ情報入力手段が、各ユーザに対応付けられ、対応ユーザのユーザ情報を格納したユーザ情報格納デバイスを接続されることにより、前記ユーザ情報格納デバイスに格納されたユーザ情報を受信する接続手段を含み、前記接続手段から前記ユーザ情報を受信した場合は、前記ジョブ処理制御手段は前記ジョブの実行を禁止しないようにまたは前記ジョブの実行回数を制限しないように制御する前項１に記載の画像処理装置。
（９）前記ジョブ処理制御手段により実行が禁止されまたは実行回数が制限されるジョブは、用紙への画像印字を伴うジョブである前項１ないし３のいずれかに記載の画像処理装置。
（１０）前記ジョブ処理制御手段により実行が禁止されまたは実行回数が制限されるジョブは、外部機器への送信を伴うジョブである前項１ないし３のいずれかに記載の画像処理装置。
（１１）前記ジョブ処理制御手段により実行が禁止されまたは実行回数が制限される規制されるジョブは、ファクシミリ送信ジョブである前項１ないし３のいずれかに記載の画像処理装置。
（１２）前記ジョブ処理制御手段により実行が禁止されまたは実行回数が制限されるジョブは、カラー画像を出力するジョブである前項１ないし３のいずれかに記載の画像処理装置。
（１３）さらに前記ユーザ情報入力手段の入力方式毎に入力安全性設定情報の高低を設定する第１の設定手段を有し、前記ジョブ処理制御手段は、前記ユーザ情報入力手段による前記ユーザ情報の入力に対して、前記第１の設定手段で設定された入力安全性設定情報に基づいて、前記ジョブの種類毎に前記ジョブ処理手段による前記ジョブの実行を禁止しまたは前記ジョブの実行回数を制限する前項１ないし３のいずれかに記載の画像処理装置。
（１４）さらに前記ジョブの種類毎のセキュリティレベル情報の高低を設定する第２の設定手段を有し、前記ジョブ処理制御手段は、前記ユーザ情報入力手段による前記ユーザ情報の入力に対して、前記第１の設定手段で設定された入力安全性設定情報と前記第２の設定手段で設定されたセキュリティレベル情報に基づいて、前記ジョブの種類毎に前記ジョブ処理手段による前記ジョブの実行を禁止しまたは前記ジョブの実行回数を制限する前項１ないし３のいずれかに記載の画像処理装置。
（１５）複数種のジョブを実行可能な画像処理装置におけるジョブの実行方法であって、互いに入力方式の異なる複数のユーザ情報入力手段のうち１つのユーザ情報入力手段から入力されたユーザ情報を受け付ける第１のステップと、前記受け付けたユーザ情報が、ユーザ情報登録手段に登録されているユーザ情報と一致しているか否かを照合する第２のステップと、照合ステップにおいて一致すると判断された場合に、前記複数のユーザ情報入力手段のうち、いずれのユーザ情報入力手段を用いてユーザ情報が入力されたかに応じて、前記ジョブの種類毎に前記ジョブの実行を禁止しまたは前記ジョブの実行回数を制限する第３のステップと、を前記画像処理装置により実行することを特徴とするジョブ実行方法。
（１６）前記複数のユーザ情報入力手段は、第１の入力方式のユーザ情報入力手段と、前記第１の入力方式と異なる第２の入力方式のユーザ情報入力手段を含み、前記第３のステップは、前記第１の入力方式のユーザ情報入力手段によりユーザ情報が入力された場合は第１の種類のジョブの実行を禁止しまたは前記ジョブの実行回数を制限し、前記第２の入力方式のユーザ情報入力手段によりユーザ情報が入力された場合は前記第１の種類のジョブの実行を禁止しない、または前記ジョブの実行回数を制限しない前項１５記載のジョブ実行方法。
（１７）前記第１の入力方式のユーザ情報入力手段は、各ユーザに割り当てられ、無線通信可能範囲内に進入すると無線通信が可能となる無線端末から送信されたユーザ情報を受信する無線通信手段、またはユーザ操作によってユーザ情報が入力される操作手段であり、前記第２の入力方式のユーザ情報入力手段は、ユーザに固有の生体情報を検出する検出手段、または各ユーザに対応付けられ対応ユーザのユーザ情報を格納したユーザ情報格納デバイスを接続されることにより、前記ユーザ情報格納デバイスに格納されたユーザ情報を受信する接続手段である前項１６に記載のジョブ実行方法。
（１８）前記複数種のジョブは、コピージョブ、スキャンジョブ、ＰＣプリントジョブ、ファクシミリ送信ジョブ、ファクシミリ受信ジョブのうちの少なくとも２つのジョブを含む前項１５いし１７のいずれかに記載のジョブ実行方法。
（１９）前記ユーザ情報入力手段が、各ユーザに割り当てられ、無線通信可能範囲内に進入すると無線通信が可能となる無線端末から送信されたユーザ情報を受信する受信手段からなるものである場合は、実行を禁止されるジョブが設定される前項１５に記載のジョブ実行方法。
（２０）前記ユーザ情報入力手段が、ユーザ操作によってユーザ情報が入力される操作手段からなるものである場合には、実行を禁止されるジョブが設定される前項１５に記載のジョブ実行方法。
（２１）前記ユーザ情報入力手段がユーザに固有の生体情報を検出する検出手段を備えたものである場合は、実行を許可されるジョブが設定される前項１５に記載のジョブ実行方法。
（２２）前記ユーザ情報入力手段が、各ユーザに対応付けられ、対応ユーザのユーザ情報を格納したユーザ情報格納デバイスを接続されることにより、前記ユーザ情報格納デバイスに格納されたユーザ情報を受信する受信手段である場合は、実行を許可されるジョブが設定される前項１５に記載のジョブ実行方法。
【手続補正３】
【補正対象書類名】明細書
【補正対象項目名】００１０
【補正方法】変更
【補正の内容】
【００１０】
前項（１）に係る発明によれば、複数のユーザ情報入力手段の入力方式の種類に基づいて、ジョブの種類毎にジョブ処理手段によるジョブの実行が禁止されまたは前記ジョブの実行回数が制限されるから、比較的安全性の低いユーザ情報入力手段により入力されたユーザ情報に基づいて認証が行われた場合に、所定のジョブの実行を禁止しまたは実行回数を制限することができ、不正使用による被害を未然に防止することができる。
【手続補正４】
【補正対象書類名】明細書
【補正対象項目名】００１１
【補正方法】変更
【補正の内容】
【００１１】
前項（２）に係る発明によれば、比較的安全性の低い第１の入力方式のユーザ情報入力手段により入力されたユーザ情報に基づいて認証が行われた場合には、第１の種類のジョブの実行を禁止しまたは前記ジョブの実行回数を制限できるから、不正使用による被害を未然に防止することができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
前項（３）に係る発明によれば、各ユーザに割り当てられ、無線通信可能範囲内に進入すると無線通信が可能となる無線端末から送信されたユーザ情報を受信する無線通信手段からなるユーザ情報入力手段は、比較的安全性の低いユーザ情報入力手段と言え、このような入力手段により入力されたユーザ情報に基づいて認証が行われた場合に、第１の種類のジョブの実行を禁止しまたは前記ジョブの実行回数を制限することができ、不正使用による被害を未然に防止することができる。即ち、上記のような無線通信手段からなるユーザ情報入力手段では、無線通信の受信感度の程度やそのばらつきによっては、画像処理装置にあまり近づかなくても装置を使用可能な状態となってしまう場合があり、このよう状況ではユーザが画像処理装置を使用する意図なく近づいただけでも装置の使用が可能な状態となってしまい、他人が装置を不正使用できてしまうため、このようなユーザ情報入力手段は比較的安全性が低いと言えるからである。
【手続補正７】
【補正対象書類名】明細書
【補正対象項目名】００１４
【補正方法】変更
【補正の内容】
【００１４】
また、ユーザ操作によってユーザ情報が入力される操作手段からなるユーザ情報入力手段は、比較的安全性の低いユーザ情報入力手段であると言え、このような入力手段により入力されたユーザ情報に基づいて認証が行われた場合に、第１の種類のジョブの実行を禁止しまたは前記ジョブの実行回数を制限することができ、不正使用による被害を未然に防止することができる。即ち、上記のような操作手段からなるユーザ情報入力手段は、ユーザが記憶したユーザ情報を他人に知られると装置を不正使用されてしまうため、生体情報検出によるユーザ情報入力手段等に比べて比較的安全性の低いユーザ情報入力手段であると言えるからである。
【手続補正８】
【補正対象書類名】明細書
【補正対象項目名】００１５
【補正方法】変更
【補正の内容】
【００１５】
一方、ユーザに固有の生体情報を検出する検出手段を備えたユーザ情報入力手段は、無線端末からユーザ情報を受信する場合のような前述した安全性の低下要因がなく、比較的安全性の高いユーザ情報入力手段であると言え、このため第１の種類のジョブの実行が禁止されまたは前記ジョブの実行回数が制限されることによりユーザの利便性が損なわれるのを防止することができる。
【手続補正９】
【補正対象書類名】明細書
【補正対象項目名】００１６
【補正方法】変更
【補正の内容】
【００１６】
また、各ユーザに対応付けられ、対応ユーザのユーザ情報を格納したユーザ情報格納デバイスを接続されることにより、前記ユーザ情報格納デバイスに格納されたユーザ情報を受信する接続手段からなるユーザ情報入力手段は、デバイスの管理さえ厳重にできる状況であれば、他人が不正に装置を使用することは不可能であるため、比較的安全性の高いユーザ情報入力手段であると言え、このため第１の種類のジョブの実行が禁止されまたは前記ジョブの実行回数が制限されることによりユーザの利便性が損なわれるのを防止することができる。
【手続補正１０】
【補正対象書類名】明細書
【補正対象項目名】００１７
【補正方法】変更
【補正の内容】
【００１７】
前項（９）に係る発明によれば、用紙への画像印字を伴うジョブは、印字用紙の消費や、例えば電子写真プロセスによる画像出力におけるトナーの消費等、コストのかかるジョブであるので、不正使用されることによる被害が比較的大きく、このためこのようなジョブの実行を禁止しまたは実行回数を制限することにより、前記被害を未然に防止することができる。
【手続補正１１】
【補正対象書類名】明細書
【補正対象項目名】００１８
【補正方法】変更
【補正の内容】
【００１８】
前項（１０）に係る発明によれば、外部機器への送信を伴うジョブは、通信環境の使用による通信コストや通信環境設置コストのかかる機能であるので、不正使用されることによる被害が比較的大きく、このためこのようなジョブの実行を禁止しまたは実行回数を制限することにより、前記被害を未然に防止することができる。
【手続補正１２】
【補正対象書類名】明細書
【補正対象項目名】００１９
【補正方法】変更
【補正の内容】
【００１９】
前項（１１）に係る発明によれば、ファクシミリ送信ジョブは、特に通信コストのかかる機能であるので、不正使用されることによる被害が比較的大きく、このためこのようなジョブの実行を禁止しまたは実行回数を制限することにより、前記被害を未然に防止することができる。
【手続補正１３】
【補正対象書類名】明細書
【補正対象項目名】００２０
【補正方法】変更
【補正の内容】
【００２０】
前項（１２）に係る発明によれば、カラー画像を出力するジョブは、例えば電子写真プロセスによる画像出力におけるカラートナーの消費等、特にコストのかかる機能であるし、有価証券等の偽造防止の観点からも特に不正使用を防がなければいけない機能であるので、不正使用されることによる被害が比較的大きく、このためこのようなジョブの実行を禁止しまたは実行回数を制限することにより、前記被害を未然に防止することができる。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】変更
【補正の内容】
【００３０】
前項（１５）に係る発明によれば、入力方式の異なる複数のユーザ情報入力手段のうち、いずれのユーザ情報入力手段を用いてユーザ情報が入力されたかに応じて、ジョブの種類毎に前記ジョブの実行が禁止されまたは前記ジョブの実行回数が制限されるから、比較的安全性の低いユーザ情報入力手段により入力されたユーザ情報に基づいて認証が行われた場合に、ジョブの実行を禁止しまたは前記ジョブの実行回数を制限することができ、不正使用による被害を未然に防止することができる。
【手続補正２４】
【補正対象書類名】明細書
【補正対象項目名】００３１
【補正方法】変更
【補正の内容】
【００３１】
前項（１８）に係る発明によれば、コピージョブ、スキャンジョブ、ＰＣプリントジョブ、ファクシミリ送信ジョブ、ファクシミリ受信ジョブのうちの少なくとも２つのジョブについて、実行禁止または実行回数制限をする／しないを制御できる。
【手続補正２５】
【補正対象書類名】明細書
【補正対象項目名】００３２
【補正方法】変更
【補正の内容】
【００３２】
前項（１９）に係る発明によれば、無線通信可能範囲内に進入すると無線通信が可能となる無線端末から送信されたユーザ情報を受信する受信手段からなるユーザ情報入力手段は、比較的安全性の低いユーザ情報入力手段と言え、このような入力手段により入力されたユーザ情報に基づいて認証が行われた場合に、ジョブの実行を禁止できる。
【手続補正２６】
【補正対象書類名】明細書
【補正対象項目名】００３３
【補正方法】変更
【補正の内容】
【００３３】
前項（２０）に係る発明によれば、ユーザ操作によってユーザ情報が入力される操作手段からなるユーザ情報入力手段は、比較的安全性の低いユーザ情報入力手段であると言え、このような入力手段により入力されたユーザ情報に基づいて認証が行われた場合に、ジョブの実行を禁止することができる。
【手続補正２７】
【補正対象書類名】明細書
【補正対象項目名】００３４
【補正方法】変更
【補正の内容】
【００３４】
前項（２１）に係る発明によれば、ユーザに固有の生体情報を検出する検出手段を備えたユーザ情報入力手段は、比較的安全性の高いユーザ情報入力手段であると言え、このためジョブの実行が許可されることにより、ユーザの利便性が損なわれるのを防止することができる。
【手続補正２８】
【補正対象書類名】明細書
【補正対象項目名】００３５
【補正方法】変更
【補正の内容】
【００３５】
前項（２２）に係る発明によれば、各ユーザに対応付けられ、対応ユーザのユーザ情報を格納したユーザ情報格納デバイスを接続されることにより、前記ユーザ情報格納デバイスに格納されたユーザ情報を受信する受信手段からなるユーザ情報入力手段は、比較的安全性の高いユーザ情報入力手段であると言え、このためジョブの実行状態が許可されることにより、ユーザの利便性が損なわれるのを防止することができる。
【手続補正２９】
【補正対象書類名】明細書
【補正対象項目名】００５９
【補正方法】変更
【補正の内容】
【００５９】
前記ＵＳＢインターフェース部１４は、ユーザ情報を記憶した携帯型の記憶媒体（本実施の形態ではＵＳＢデバイスであるが、その他、メモリカードなどでも良い）と接続（接触）された際に、ユーザ情報を授受するものであり、本実施の形態では、ＵＳＢインターフェースにより、ＵＳＢメモリ等のＵＳＢデバイスを取り外し可能に接続するものであり、ユーザ情報入力手段の一つを構成するものである。各ユーザは自身のユーザ情報（ユーザ名とパスワード）を格納したＵＳＢデバイスを携行しており、ＭＦＰ１の使用時にはＵＳＢデバイスをＵＳＢインターフェース部１４に接続することにより、ＵＳＢインターフェース部１４がユーザ情報を受信するものとなされている。
【手続補正３０】
【補正対象書類名】明細書
【補正対象項目名】００６１
【補正方法】変更
【補正の内容】
【００６１】
ユーザ情報格納部１５はユーザ情報登録手段として機能するものであり、不揮発性メモリを有し、操作パネル部１１から送信されてきたユーザ登録情報１１ｇ及び各ユーザのジョブ実行回数をカウントするユーザカウンタの各情報を記憶する。そして、画像処理制御部１８からカウンタ加算情報１８ｃ、ログインユーザ名１８ｄを受信すると、当該ユーザのユーザカウンタに、カウンタ加算情報１８ｃで指定された値を加算するとともに、加算後はユーザ情報照合部１６へユーザカウント情報１５ｂとして送信する。
【手続補正３１】
【補正対象書類名】明細書
【補正対象項目名】００６３
【補正方法】変更
【補正の内容】
【００６３】
前記ユーザ情報照合部１６は、操作パネル部１１、無線受信部１２、指紋検出部１３、ＵＳＢインターフェース部１４の各ユーザ情報入力手段から送信されてきたユーザ情報を、予めユーザ情報格納部１５に登録されているユーザ情報と照合して認証を行うものである。具体的には以下のように動作する。
［操作パネル部１１からのログインの場合］
パネルログイン要求情報＝「要求あり」を受信すると、ユーザ登録情報に登録されている各ユーザのユーザ名とパスワードを検索し、パネル入力ユーザ名、及びパネル入力パスワードと一致するユーザが存在した場合、当該ユーザのログイン状態であるとする。そして、ログイン状態情報１６ａに「パネルログイン」をセットし、ログインユーザ情報１６ｃに上記ログインしたユーザ名をセットし、ユーザカウント情報の各ユーザのユーザカウンタ値のうち、ログインしたユーザのカウンタ値をログインユーザカウンタ情報１６ｂにセットして、画像処理制御部１８に送信する。
［無線受信部１２からのログインの場合］
無線ログイン要求情報＝「要求あり」を受信すると、ユーザ登録情報に登録されている各ユーザのユーザ名とパスワードを検索し、無線入力ユーザ名、及び無線入力パスワードと一致するユーザが存在した場合、当該ユーザのログイン状態であるとする。そして、ログイン状態情報１６ａに「無線ログイン」をセットし、ログインユーザ情報１６ｃに上記ログインしたユーザ名をセットし、ユーザカウント情報の各ユーザのユーザカウンタ値のうち、ログインしたユーザのカウンタ値をログインユーザカウンタ情報１６ｂとして、画像処理制御部１８に送信する。
【手続補正３２】
【補正対象書類名】明細書
【補正対象項目名】００６５
【補正方法】変更
【補正の内容】
【００６５】
なお、上記ログインを終了した場合でも、所定時間（例えば２分）以内は他のユーザによるログインを受け付けない（無線以外の方法によるログインも受け付けない）。
［指紋検出部１３からのログインの場合］
指紋ログイン情報＝「指紋照合ＯＫ」を受信すると、ユーザ登録情報に登録されている各ユーザのユーザ名を検索し、指紋入力ユーザ名と一致するユーザが存在した場合、当該ユーザのログイン状態であるとする。そして、ログイン状態情報１６ａを「指紋ログイン」とし、ログインユーザ情報１６ｃに上記ログインしたユーザ名をセットし、ユーザカウント情報の各ユーザのユーザカウンタ値のうち、ログインしたユーザのカウンタ値をログインユーザカウンタ情報１６ｃとして、画像処理制御部１８に送信する。
［ＵＳＢインターフェース部１４からのログインの場合］
ＵＳＢログイン要求情報＝「要求あり」を受信すると、ユーザ登録情報として登録されている各ユーザのユーザ名とパスワードを検索し、ＵＳＢ入力ユーザ名、及びＵＳＢ入力パスワードと一致するユーザが存在した場合、当該ユーザのログイン状態であるとする。そして、ログイン状態情報１６ａを「ＵＳＢログイン」とし、ログインユーザ情報１６ｃに上記ログインしたユーザ名をセットし、ユーザカウント情報の各ユーザのユーザカウンタ値のうち、ログインしたユーザのカウンタ値をログインユーザカウンタ情報１６ｂとして、画像処理制御部１８に送信する。
【手続補正３３】
【補正対象書類名】明細書
【補正対象項目名】００６８
【補正方法】変更
【補正の内容】
【００６８】
前記チョイス情報記憶部１７は、不揮発メモリを有し、操作パネル部１１から受信したチョイス設定情報１１ｆを記憶し、チョイス投定情報１７ａとして画像処理制御部１８に送信する。チョイス投定情報１１ｆのうち、無線ログアウト設定情報については、ユーザ情報照合部１６にも送る。
【手続補正３４】
【補正対象書類名】明細書
【補正対象項目名】００６９
【補正方法】変更
【補正の内容】
【００６９】
前記画像処理制御部１８は、前記ユーザ情報照合部１６から送信されたログイン状態情報１６ａ、ログインユーザカウンタ情報１６ｂ、ログインユーザ情報１６ｃ、及びチョイス情報記憶部１７に記憶されたチョイス設定情報１１ｆに基づき、各種ジョブの実行をユーザに許可して良いか否かを判断し、画像処理部１０を制御する。即ち、画像処理制御部１７は、ジョブ処理制御手段及びログイン制御手段として機能する。また、ジョブ許可情報１８ａ及びカラー許可情報１８ｂを作成し、操作パネル部１１へ送信する。ジョブ許可情報１８ａについては、画像処理部１０へも送信する。なお、ジョブ許可情報１８ａとしては、コピー許可情報、スキャン許可情報、ＰＣプリント許可情報、ＦＡＸ送信許可情報、ＦＡＸ受信プリント許可情報等がある。
【手続補正３５】
【補正対象書類名】明細書
【補正対象項目名】００７０
【補正方法】変更
【補正の内容】
【００７０】
さらに、画像処理制御部１８は、操作パネル部１１からジョブ開始要求情報１１ｃ＝「要求あり」を受け取ると、ジョブが実行開始されたものと判断し、カウンタ加算情報１８ｃ、ログインユーザ名１８ｄをユーザ情報格納部１５へ送信する。
【手続補正３６】
【補正対象書類名】明細書
【補正対象項目名】００９９
【補正方法】変更
【補正の内容】
【００９９】
ステップＳ００３では、ユーザ情報照合部１６から送信されてきたログインユーザカウンタ情報１６ｂが予め設定された高セキュリティ上限値情報よりも小さいかどうかを調べる。小さければ（ステップＳ００３でＹＥＳ）、そのユーザについてはジョブの実行回数にまだ余裕があることからそのユーザにジョブの実行を許可するため、ステップＳ００４に進み、コピー許可情報、スキャン許可情報、ＰＣプリント許可情報、ＦＡＸ送信許可情報、ＦＡＸ受信プリント許可情報等のジョブ許可情報１８ａを全て「許可」にセットするとともに、カラー許可情報１８ｂも「許可」にセットしたのち、図４のステップＳ０２５に進む。これにより、高い安全性を確保しながら、ユーザに対してジョブの実行が許可される。
【手続補正３７】
【補正対象書類名】明細書
【補正対象項目名】０１００
【補正方法】変更
【補正の内容】
【０１００】
ステップＳ００３で、ユーザ情報照合部１６から送信されてきたログインユーザカウンタ情報１６ｂが予め設定された高セキュリティ上限値情報に達していれば（ステップＳ００３でＮＯ）、そのユーザに対するジョブの実行を禁止するため、ステップＳ０２４に進み、ジョブ許可情報１８ａを全て「禁止」にセットするとともに、カラー許可情報１８ｂも「禁止」にセットしたのち、図４のステップＳ０２５に進む。
【手続補正３８】
【補正対象書類名】明細書
【補正対象項目名】０１２４
【補正方法】変更
【補正の内容】
【０１２４】
また、無線入力安全性設定情報やパネル入力安全性設定情報を「Low」に設定しておき、他の指紋入力安全性設定情報やＵＳＢ入力安全性設定情報を「High」に設定しておくことにより、無線端末２によりログインしたユーザや、操作パネル部１１の操作によりログインしたユーザに対して認められるジョブの実行回数が低セキュリティ上限値情報で示される量に限定され（図３のステップＳ００５）、これは高セキュリティ上限値情報で示される量（図３のステップＳ００３）よりも少ないから、指紋入力やＵＳＢ入力によりログインしたユーザよりも、ジョブの実行回数を制限することができる。
【手続補正３９】
【補正対象書類名】図面
【補正対象項目名】図１
【補正方法】変更
【補正の内容】
【図１】
2009044764.tif 000001
【手続補正４０】
【補正対象書類名】図面
【補正対象項目名】図２
【補正方法】変更
【補正の内容】
【図２】
2009044764.tif 000002